(57)【特許請求の範囲】
【請求項１】
ガソリンを燃料とする４サイクル内燃機関に用いられ、吸気弁と排気弁のバルブタイミングをそれぞれ独立して制御可能で、かつ、吸気弁と排気弁のバルブタイミングを前記機関の高負荷時と低負荷時とで切り替え可能な可変動弁機構を備え、
高負荷時は前記排気弁がピストン上死点近辺にて閉弁されるバルブタイミングに設定する一方、低負荷時は負荷が小さくなるほどそれに応じて前記排気弁の閉弁時期がピストン上死点前の排気行程中途に進角される方向に連続的にバルブタイミングを設定すると共に、
低負荷時には高負荷時に比較して有効圧縮比が大きくなるように、吸気弁の閉弁時期をピストン下死点時点に近づけるようにピストン圧縮行程内で進角させて、
高負荷時は燃焼室に設けた点火装置によりピストンの圧縮上死点付近にて混合気を点火・燃焼させる一方、低負荷時は前記点火装置による点火を行わずに混合気を圧縮着火・燃焼させるようにし、
吸気弁の開弁時期を、高負荷時はピストン上死点近辺にて開弁されるように設定し、低負荷時はピストン上死点後の吸気行程中途にて開弁されるように設定したことを特徴とする４サイクル内燃機関。
【請求項２】
吸気弁はその開弁時期を、高負荷時はピストン上死点近辺にて開弁されるバルブタイミングに設定する一方、低負荷時は負荷が小さいほど、前記吸気弁の開弁時期がピストン上死点後の吸気行程中途に遅角されるバルブタイミングに設定したことを特徴とする請求項１に記載の４サイクル内燃機関。
【請求項３】
低負荷時における吸気弁の開弁時期を筒内圧力が吸気管圧力と略同等となる時期に設定したことを特徴とする請求項１又は２に記載の４サイクル内燃機関。
【請求項４】
低負荷時における排気弁の負荷に応じた閉弁時期の進角制御範囲を、クランク角度６０〜８０ｄｅｇ・ＢＴＤＣに設定したことを特徴とする請求項１〜３の何れか一項に記載の４サイクル内燃機関。
【請求項５】
低負荷時におけるバルブタイミングを負荷に応じて連続的に可変制御するようにしたことを特徴とする請求項１〜４の何れか一項に記載の４サイクル内燃機関。
【請求項６】
機関の圧縮比を１４〜１８に設定したことを特徴とする請求項１〜５の何れか一項に記載の４サイクル内燃機関。
【請求項７】
吸気通路に、少なくとも低負荷時に該吸気通路を部分的に遮蔽する部分遮蔽弁を備えていることを特徴とする請求項１〜６の何れか一項に記載の４サイクル内燃機関。
【発明の詳細な説明】
【０００１】
【発明の属する技術分野】
本発明は、例えば自動車用ガソリンエンジンのような４サイクル内燃機関に関する。
【０００２】
【従来の技術】
４サイクル内燃機関の熱効率を向上する手段として、混合気をリーン化することによりポンプ損失を低減すると共に、作動ガスの比熱比を大きくして理論熱効率を向上させることが知られている。
【０００３】
しかしながら、従来のガソリンエンジンでは点火プラグによる火花点火と火炎伝播による燃焼が不安定化することから混合気のリーン化にも自ずと限界があり、また、リーン燃焼時には排気浄化のための触媒がいわゆる量論比での燃焼時ほど浄化性能、特にＮＯｘの還元性能を発揮できないという問題がある。
【０００４】
一方、従来のディーゼルエンジンでは大幅なリーン燃焼を行うことが可能であるが、煤の排出を生じることがあり、また、リーン燃焼のため前述と同様に排気浄化のための触媒が有効に活性化できない問題がある。
【０００５】
そこで、このような問題を解決する手段として、特開平７−３３２１４１号公報に示されているように、予混合気を圧縮着火燃焼させることによって、リーン燃焼と低ＮＯｘ排出を図った高圧縮比ガソリン内燃機関が提案されている。
【０００６】
【発明が解決しようとする課題】
ところが、前述の予混合気の圧縮着火現象は空燃比の影響が大きく、リーン域のリッチ側ではノッキングが生じ、逆にリーン域のリーン側では失火が生じることから、必然的に運転可能な空燃比範囲が制限されてしまう。即ち、運転可能な負荷範囲が制限されてしまう問題を生じる。
【０００７】
また、予混合気の圧縮着火燃焼により低ＮＯｘ排出を図るとしても、ＥＧＲを行っていないことから未燃燃料としてシリンダ内に残ったＨＣはほぼ全て排気として排出されてしまうため、燃料を効率よく利用して熱効率を向上させることはできない。
【０００８】
一方、特開平５−３２１７０２号公報には低回転領域で吸排気弁のバルブタイミングを変えて内部ＥＧＲを行わせる技術が開示されているが、単純に低回転領域で内部ＥＧＲのために吸排気弁のバルブタイミングを変えただけでは、ノック性と燃焼安定性に大きな影響を及ぼし、この場合も運転可能な負荷範囲が制限されてしまう。
【０００９】
そこで、本発明は機関の高負荷時と低負荷時とで吸排気弁のバルブタイミングを切り替え、かつ、該低負荷時に負荷に応じたバルブタイミングに可変制御して、大量の内部ＥＧＲを行うことでそのＥＧＲガスを熱源として混合気の着火性を促進し、機関のより広い負荷範囲で高熱効率かつ低ＮＯｘである均質予混合圧縮着火燃焼を実現すると共に、ＥＧＲガス中の未燃ＨＣを再燃焼させて燃料を有効利用することで熱効率を向上し、併せてクリーンな排気の４サイクル内燃機関を提供するものである。
【００１０】
【課題を解決するための手段】
請求項１の発明にあっては、ガソリンを燃料とする４サイクル内燃機関に用いられ、吸気弁と排気弁のバルブタイミングをそれぞれ独立して制御可能で、かつ、吸気弁と排気弁のバルブタイミングを前記機関の高負荷時と低負荷時とで切り替え可能な可変動弁機構を備え、高負荷時は前記排気弁がピストン上死点近辺にて閉弁されるバルブタイミングに設定する一方、低負荷時は負荷が小さくなるほどそれに応じて前記排気弁の閉弁時期がピストン上死点前の排気行程中途に進角される方向に連続的にバルブタイミングを設定すると共に、低負荷時には高負荷時に比較して有効圧縮比が大きくなるように、吸気弁の閉弁時期をピストン下死点時点に近づけるようにピストン圧縮行程内で進角させて、高負荷時は燃焼室に設けた点火装置によりピストンの圧縮上死点付近にて混合気を点火・燃焼させる一方、低負荷時は前記点火装置による点火を行わずに混合気を圧縮着火・燃焼させるようにし、吸気弁の開弁時期を、高負荷時はピストン上死点近辺にて開弁されるように設定し、低負荷時はピストン上死点後の吸気行程中途にて開弁されるように設定したことを特徴としている。
【００１２】
請求項２の発明にあっては、請求項１に記載の吸気弁はその開弁時期を、高負荷時はピストン上死点近辺にて開弁されるバルブタイミングに設定する一方、低負荷時は負荷が小さいほど、前記吸気弁の開弁時期がピストン上死点後の吸気行程中途に遅角されるバルブタイミングに設定したことを特徴としている。
【００１３】
請求項３の発明にあっては、請求項１又は２に記載の低負荷時における吸気弁の開弁時期を筒内圧力が吸気管圧力と略同等となる時期に設定したことを特徴としている。
【００１４】
請求項４の発明にあっては、請求項１〜３に記載の低負荷時における排気弁の負荷に応じた閉弁時期の進角制御範囲を、クランク角度６０〜８０ｄｅｇ・ＢＴＤＣに設定したことを特徴としている。
【００１６】
請求項５の発明にあっては、請求項１〜４に記載の低負荷時におけるバルブタイミングを負荷に応じて連続的に可変制御するようにしたことを特徴としている。
【００１７】
請求項６の発明にあっては、請求項１〜５に記載の機関の圧縮比を１４〜１８に設定したことを特徴としている。
【００１８】
請求項７の発明にあっては、請求項１〜６に記載の機関はその吸気通路に、少なくとも低負荷時に該吸気通路を部分的に遮蔽する部分遮蔽弁を備えていることを特徴としている。
【００１９】
【発明の効果】
請求項１に記載の発明によれば、機関の低負荷時には排気弁の閉弁時期が進角されてピストン上死点前の排気行程中途にて閉弁されるため、その時点でのシリンダ容積に相当する高温の既燃ガスを燃焼室に滞留させ、次サイクルへの内部ＥＧＲとすることができ、次サイクルでは新気が吸入されて内部ＥＧＲと撹拌・混合されることによって高温かつ均質な混合気が形成され、この高温の均一混合気が圧縮されることでリーンな混合気の圧縮着火がピストン上死点付近で実現される。
【００２０】
この時、混合気は高温・高圧雰囲気によって自ら着火・燃焼されるため、点火装置による点火の必要はなく、その燃焼形態は火花点火燃焼に見られるようないわゆる火炎伝播は存在せず、火炎伝播に伴う局所的な高温部が存在することがなく、しかも、火炎面が通過した後の既燃ガス部分が火炎の伝播に伴って圧縮・高温化されないこと、および大量の内部ＥＧＲを行っているために混合気中の酸素濃度が低下していること、からＮＯｘの排出を極少量に抑えることができる。
【００２１】
また、混合気に局所的なリッチ領域が存在しないため煤が生じることがなく、更に、圧縮自己着火によって大幅なリーン燃焼が実現できることと、大量の内部ＥＧＲにより通常排出・放棄されてしまう未燃ＨＣの燃焼回収を有効に行えることから、熱効率の向上を実現することができる。
【００２２】
特に、前記機関低負荷時における排気弁の閉弁時期の進角は負荷に応じて制御して、低負荷域の低負荷方向側では排気弁の閉弁時期の進角度合いを増大して内部ＥＧＲ量を増大し、低負荷域の高負荷方向側では排気弁の閉弁時期の進角度合いを小さくして内部ＥＧＲ量を減少させるため、より低負荷な状態、即ち、混合気がよりリーンな状態では内部ＥＧＲの増加により混合気の温度を更に高められるので、リーンな混合気に対しても確実に圧縮自己着火燃焼を行わせることができ、逆に低負荷域の高負荷方向側では内部ＥＧＲの減少によって混合気の温度上昇が比較的抑制されるため、比較的リッチな混合気においてもノッキングの発生を抑制することができる。
【００２３】
この結果、圧縮着火燃焼可能な混合気温度の範囲が拡大でき、即ち、広い負荷範囲において高熱効率・低ＮＯｘ排出である予混合圧縮着火燃焼を実現することができる。そして、機関の高負荷時には排気弁の閉弁時期を通常の４サイクル内燃機関と同様にピストン上死点付近とすることでシリンダ内の残留ガスを低減し、点火装置による火花点火と火炎伝播による燃焼形態におけるノッキングの発生を抑制し、充填効率の向上を実現できて高出力を得ることができる。
【００２４】
さらに、機関の低負荷時に吸気弁の閉弁時期を進角することで、吸気弁の閉弁時期からピストン上死点までの有効圧縮比が大きくなり、ピストン上死点における混合気の温度・圧力が大きくなるため更に圧縮着火が容易となる。
【００２５】
さらにここで、機関の低負荷時に排気弁を排気行程中途で閉弁することに併せて、吸気弁をピストン上死点後の吸気行程中途で開弁することによって、排気弁の閉弁からピストン上死点までにシリンダ内の残留ガスを圧縮するために要した仕事を、ピストン上死点から吸気弁の開弁までに回収することができるため、より一層熱効率の向上に貢献することができる。
【００２６】
また、吸気弁の開弁時期がピストン上死点後の吸気行程中途に遅角されることにより、ピストン上死点付近で吸気弁を開弁することに較べてピストン速度が大きい時期に吸気が開始されることになり、吸気の流入速度が増大されて内部ＥＧＲと新気の撹拌・混合が促進されて混合気がより均一化され、更に圧縮着火による燃焼が良好となって熱効率の向上およびＮＯｘ排出の低減効果を高めることができる。
【００２７】
請求項２に記載の発明によれば、請求項１の発明の効果に加えて、吸気弁の開弁時期を機関の高負荷時はピストン上死点近辺で開弁させる一方、機関の低負荷時は負荷に応じて該吸気弁の開弁時期を遅角させ、低負荷域の低負荷方向側では吸気弁の開弁時期の遅角度合いを増大し、低負荷域の高負荷方向側では吸気弁の開弁時期の遅角度合いを小さくすることによって、排気弁の負荷に応じた閉弁時期に対応して変化する該排気弁の閉弁時期からピストン上死点までの間に燃焼室内の残留ガスを圧縮するために要した仕事を、ピストン上死点から吸気弁の開弁時期までの間に確実に回収できて、熱効率を更に高めることができる。
【００２８】
請求項３に記載の発明によれば、請求項１又は２の発明の効果に加えて、機関の低負荷時における吸気弁の開弁時期を、筒内の圧力が吸気管の圧力と同等となる時期としてあるため、残留ガスの圧縮に要した仕事を更に有効に回収できて、熱効率の向上に貢献することができる。
【００２９】
請求項４に記載の発明によれば、請求項１〜３の発明の効果に加えて、機関の低負荷時における排気弁の負荷に応じた閉弁時期の進角制御範囲を、実験の結果から得られたノック強度、Ｐｉ変動率および燃料消費率に優れる最適値に設定してあるから、広い負荷範囲でより安定した予混合圧縮着火燃焼を実現することができる。
【００３３】
請求項６に記載の発明によれば、請求項１〜５の発明の効果に加えて、低負荷時における吸排気弁のバルブタイミングを負荷に応じて連続的に可変制御するため、要求される機関負荷に対してきめ細かく内部ＥＧＲ量、即ち、混合気の温度、を制御して確実な予混合圧縮着火燃焼を実現することができ、また、残留ガスの圧縮に必要な仕事を常にほぼ完全に回収することができる。
【００３４】
請求項６に記載の発明によれば、請求項１〜５の発明の効果に加えて、機関の圧縮比を実験の結果得られたノック強度および燃焼安定性に優れる最適値に設定してあるため、高負荷時にノック発生を回避して高出力を得ることができる一方、低負荷時に安定した予混合圧縮着火燃焼を行わせてトルク、出力の向上を実現することができる。
【００３５】
請求項７に記載の発明によれば、請求項１〜６の効果に加えて、機関の低負荷時に吸気通路の一部を部分遮蔽弁で遮蔽することにより、吸気流速が増大されるため内部ＥＧＲと新気との撹拌・混合が良好に行われてより均一な高温の混合気を形成することができて、予混合圧縮着火燃焼の安定化に貢献することができる。
【００３６】
【発明の実施の形態】
以下、本発明の実施形態を４サイクルガソリン機関を例に採って図面と共に詳述する。
【００３７】
図１において、１はシリンダブロック、２はピストン、３はシリンダヘッド、４はこれらシリンダブロック１、ピストン２、およびシリンダヘッド３で形成される燃焼室を示す。
【００３８】
シリンダヘッド３には吸気ポート５を開閉する吸気弁６、および排気ポート７を開閉する排気弁８を配設してあると共に、燃焼室４のほぼ中心位置に点火装置である点火プラグ９を配設してある。
【００３９】
吸気弁６および排気弁７は、それらの開弁時期と閉弁時期を変更可能な可動弁機構１０Ａ，１０Ｂによってそれぞれ独立して開閉するようにしてある。
【００４０】
機関の諸制御はエンジンコントロールユニット（ＥＣＵ）１１によって行っており、ＥＣＵ１１にはクランク角センサ１２ａ、アクセルペダルセンサ１２ｂ、水温センサ１２ｃ、エアフローメ−タ１２ｄ等の機関運転状態を検知するためのセンサ１２が接続されており、ＥＣＵ１１はこれらセンサ１２からの信号入力にもとづいて機関の運転状態を判断して所要の制御を行っており、前記点火プラグ９および可変動弁機構１０Ａ，１０ＢもこのＥＣＵ１１からの信号出力により駆動制御される。
【００４１】
可変動弁機構１０Ａ，１０Ｂとして、例えば特開昭５５−１３７３０５号公報に示されているものを用いることができる。
【００４２】
図２は前記公報に示された可変動弁機構で、その作動原理は該公報に詳しいのでその詳細な説明は省略するが、揺動プレート１３によりロッカーアーム１４の支点を変位させて、揺動カム１５の位相を変化させることで図３に示すようなバルブタイミングおよびバルブリフトの可変制御を可能としている。
【００４３】
図４はこのような可変動弁機構１０Ａ，１０Ｂによる吸排気弁６，８の高負荷時と低負荷時におけるバルブタイミングの変化状況を示している。
【００４４】
図４の（イ）に示す機関高負荷時のバルブタイミングは、いわゆる通常の４サイクルガソリン機関のそれであり、排気弁８の閉弁時期ＥＶＣと吸気弁６の開弁時期ＩＶＯはともにピストン上死点（ＴＤＣ）付近となっていて所定のバルブオーバーラップ（Ｏ／Ｌ）が設定されている。
【００４５】
図４の（ロ）に示す機関低負荷時におけるバルブタイミングは、前記高負荷時に対して排気弁８の閉弁時期ＥＶＣが進角されて排気行程中途となっており、同時に排気弁８の開弁時期ＥＶＯが遅角されてよりピストン下死点（ＢＤＣ）に近い時期となっている。
【００４６】
この機関低負荷時には吸気弁６については、その開弁時期ＩＶＯが排気弁８の閉弁時期〜ピストン上死点までの期間と該吸気弁６のピストン上死点〜吸気弁６の開弁時期までの期間とがほぼ等しくなるように遅角して設定され、吸気弁６の閉弁時期ＩＶＣは同時に進角されてピストン下死点に近い時期となっている。この時、ピストン上死点付近におけるバルブオーバーラップは全く存在せず、マイナスオーバーラップ（マイナスＯ／Ｌ）とでも呼ぶべき状態になっている。
【００４７】
本実施形態における可変動機構１０Ａ，１０Ｂは、機関の高負荷時と低負荷時とでバルブタイミングを切り替えると共に、低負荷時は負荷に応じてバルブタイミングを連続的に可変可能としてあり、従って、図４の（ロ）に示した低負荷時におけるバルブタイミングは、ある負荷状況における１例を示しているに過ぎない。
【００４８】
この機関低負荷時におけるバルブタイミングについて、図５にクランク角の推移に対して吸排気弁６，８のリフトカーブを示している。
【００４９】
図６は前記機関低負荷時のマイナスＯ／Ｌを成すバルブタイミングにおける燃焼室４内のガス交換過程を説明したものである。
【００５０】
図６の（ａ）〜（ｆ）について時間推移を追って説明すると、（ａ）は排気行程の途中であり、開弁された排気弁８から既燃ガスが排気ポート７へ排出される。
【００５１】
（ｂ）で排気行程中途ではあるが、排気弁８が閉弁されるため、この時点で燃焼室４内に残っていた既燃ガスは該燃焼室４内に閉じ込められた形になり、この既燃ガスが次サイクルの内部ＥＧＲとなる。
【００５２】
その後（ｃ）のピストン上死点まで燃焼室４内に閉じ込められた内部ＥＧＲを圧縮する。
【００５３】
この時に要した圧縮のための仕事は、次の（ｄ）に示す吸気弁６の開弁までに内部ＥＧＲが膨張してピストン２を押し下げることで回収される。
【００５４】
（ｄ）以降は（ｅ）に示すように吸気弁６の開弁により吸気ポート５から新気を吸入し、内部ＥＧＲと撹拌・混合する。
【００５５】
この時、吸気弁６の開弁時期を遅角してあることにより、ピストン速度が比較的大きい時期に吸気が開始されることになり、吸入速度が大きくなるためこのようなバルブタイミングにおいても新気とＥＧＲは十分に混合されるが、図１に仮想線で示すように吸気ポート５にその一部を遮蔽する部分遮蔽弁１６を設け、低負荷時にはこの部分遮蔽弁１６を閉弁させることによって吸気流速を増大させ、新気と内部ＥＧＲとの混合・撹拌をより積極的に行わせるようにしてもよい。
【００５６】
その後、高温の内部ＥＧＲと新気とが均一に混合された混合気は（ｆ）に示すようにピストン２の上昇に伴って圧縮され、ピストン上死点付近で自己着火燃焼に至る。
【００５７】
この時の筒内圧の変化状況を図７の（ロ）に簡略化したＰ−Ｖ線図にて示しており、図７の（イ）に機関高負荷時におけるバルブタイミングによる筒内圧変化状況を比較してＰ−Ｖ線図にて示している。
【００５８】
図７の（ロ）から判るように、機関低負荷時には圧縮行程〜膨張行程の間の圧縮上死点と、排気行程〜吸気行程の間のピストン上死点に２つの圧力ピーク点Ｐa ，Ｐb を持っている。しかし、この機関低負荷時には大量の内部ＥＧＲとマイナスＯ／Ｌを成すバルブタイミングによって、機関高負荷時と同様にポンプ損失に相当する部分（図７の斜線部分）は小さく、熱効率が向上する所以の１つとなっている。
【００５９】
これは、前述のように機関低負荷時におけるバルブタイミングを、例えば図４の（ロ）に示す如くに設定することによって、図６の（ａ）〜（ｆ）に示すようなガス交換過程を経て高温の内部ＥＧＲと新気との均質な混合気が形成され、これがピストン運動に伴って圧縮されることで自ら着火に至って燃焼される結果、大幅なリーン燃焼が可能となり熱効率の向上が得られるのであり、また、均質な自己着火燃焼により局所的な高温部が存在しないことからＮＯｘの排出が極少量に抑制されるのである。
【００６０】
但し、高負荷時から低負荷時への負荷変化に伴って、該低負荷時に単純に所定のマイナスＯ／Ｌにバルブタイミングを切り替えても、即ち、単一のバルブタイミング設定を行っても、混合気をリーン域で次第にリッチ化して行けば圧縮着火燃焼と云えどもいずれノッキングが発生してリッチ限界が生じ、逆に、混合気をリーン域で次第にリーン化して行けば高温の内部ＥＧＲを利用しているとは云え、いずれ燃焼が不安定となってリーン限界が存在し、従って、高熱効率かつ低ＮＯｘ排出である圧縮自己着火燃焼を実現できる負荷範囲が制限されてしまう。
【００６１】
一方、本実施形態では前述のように機関低負荷時には、負荷に応じて連続的にバルブタイミングを変化させて、例えば図８に示すように低負荷域における低負荷方向側ほど排気弁８の閉弁時期を進角すると共に吸気弁６の開弁時期を遅角させ、逆に高負荷方向側では排気弁８の閉弁時期の進角度合いを小さくすると共に、吸気弁６の開弁時期の遅角度合いを小さくすることによって、前記低負荷方向側では高温の内部ＥＧＲ量が増大するためよりリーンな混合気に対しても十分な圧縮着火燃焼が維持され、また、高負荷方向側では高温の内部ＥＧＲ量が減少してノッキングの発生を抑制することができる。
【００６２】
また、このように機関の低負荷時に負荷に応じて吸気弁６の開弁時期を遅角させ、低負荷域の低負荷方向側では吸気弁６の開弁時期の遅角度合いを増大し、低負荷域の高負荷方向側では吸気弁６の開弁時期の遅角度合いを小さくすることによって、排気弁８の負荷に応じた閉弁時期に対応して変化する該排気弁８の閉弁時期からピストン上死点までの間に燃焼室４内の残留ガスを圧縮するために要した仕事を、ピストン上死点から吸気弁６の開弁時期までの間に確実に回収できて、熱効率を一段と高めることができ、このような吸気弁６の開弁時期において、筒内圧力は必然的に吸気ポート圧力、即ち、過給機を用いない機関ではほぼ１気圧になっている。これは、排気弁８の閉弁時期における筒内圧力がほぼ１気圧であることから自明である。
【００６３】
更に、機関の低負荷時に吸気弁６の閉弁時期を進角することで、該吸気弁の閉弁時期からピストン上死点までの有効圧縮比が大きくなり、ピストン上死点における混合気の温度・圧力が大きくなるため更に圧縮着火が容易となり、かつ、該低負荷時に排気弁８の開弁時期を遅角することによって、ピストン上死点から排気弁８の閉弁時期までの有効膨張比が大きくなり、燃焼により高温となった作動ガスから更に効率良く仕事を取り出すことが可能となる。
【００６４】
図９は本発明者の実験結果を示すもので、機関の低負荷時における排気弁８の負荷に応じた閉弁時期ＥＶＣの進角制御範囲を、クランク角度６０〜８０ｄｅｇ・ＢＴＤＣに設定したところ、同図の矢印Ａ1 ，Ａ2 ，Ａ3 でそれぞれ示すように、ＥＶＣ＝６０，７０，８０（ｄｅｇ・ＢＴＤＣ）の各閉弁時期において、ノック強度、Ｐｉ変動率、および燃料消費率のいずれにも優れた最も運転性の良い負荷範囲が存在し、従って、この進角制御範囲でＥＶＣを負荷に応じて連続的に制御すれば、要求される機関負荷に対してきめ細かく内部ＥＧＲ量、即ち、混合気の温度、を制御して確実な予混合圧縮着火燃焼を実現でき、幅広い負荷範囲において均質予混合圧縮着火燃焼を機関として成立できることが確認されている。
【００６５】
本実施形態では前述のように機関低負荷時に排気弁８の閉弁時期の進角制御を、負荷に応じて連続的に可変制御するようにしているが、これは勿論、前記各閉弁時期、即ち、ＥＶＣ＝６０，７０，８０（ｄｅｇ・ＢＴＤＣ）の進角制御を負荷に応じて多段階に可変制御するようにしてもよい。
【００６６】
機関の低負荷時は前述のように負荷に応じたバルブタイミングの制御の下に圧縮自己着火燃焼を行わせるが、機関の高負荷時は前記図４の（イ）に示すように通常の４サイクルガソリン機関と同様のバルブタイミングに戻され、新気を吸気・圧縮して点火プラグ９により火花点火し、火炎伝播によって燃焼させる。
【００６７】
ここで、以上のように機関低負荷時における排気弁８の閉弁時期の進角制御範囲が最適値に設定されるが、実験の結果、機関の圧縮比を１４〜１８に設定することによって図１０に示すように運転可能負荷範囲を広げられることが確認されている。
【００６８】
これは、機関の圧縮比が１４よりも小さいと低負荷時に燃焼安定性が損なわれてトルク、出力が悪化してしまい、また、機関の圧縮比が１８よりも大きいと高負荷時にノック発生が顕著となってしまうものであり、従って、機関の圧縮比を前述のように適切に設定することによって、高負荷時にノック発生を回避して高出力を得ることができる一方、低負荷時に安定した予混合圧縮着火燃焼を行わせてトルク、出力の向上を実現することができる。
【図面の簡単な説明】
【図１】本発明の一実施形態の構成を示す説明図。
【図２】同実施形態における可変動弁機構の一例を示す説明図。
【図３】図２に示す可変動弁機構のバルブタイミングとバルブリフトの変化を示す図。
【図４】図１に示す実施形態のバルブタイミングの設定を示す図で、（イ）は高負荷時を、（ロ）は低負荷時を示す。
【図５】図４に示すバルブタイミングをクランク角度に対して示した図。
【図６】図１に示す実施形態の低負荷時における燃焼室内のガス交換過程を示す説明図。
【図７】同実施形態における燃焼室内の圧力変化の推移をＰ−Ｖ線図にて示した図で、（イ）は高負荷時を、（ロ）は低負荷時を示す。
【図８】低負荷時における排気弁の閉弁時期および吸気弁の開弁時期の変化を示した図。
【図９】バルブタイミングによる圧縮着火燃焼の様子の違いを実験的に示した図。
【図１０】機関の圧縮比による運転可能負荷範囲を示した図。
【符号の説明】
１  シリンダブロック
２  ピストン
３  シリンダヘッド
４  燃焼室
５  吸気ポート
６  吸気弁
７  排気ポート
８  排気弁
９  点火プラグ
１０Ａ，１０Ｂ  可変動弁機構
１６  部分遮蔽弁
【図１】
0004326044.tif 000002
【図２】
0004326044.tif 000003
【図３】
0004326044.tif 000004
【図４】
0004326044.tif 000005
【図５】
0004326044.tif 000006
【図６】
0004326044.tif 000007
【図７】
0004326044.tif 000008
【図８】
0004326044.tif 000009
【図９】
0004326044.tif 000010
【図１０】
0004326044.tif 000011